(57)【要約】【課題】用途が異なる２種類のレフィル容器を装着可能な使い勝手の良いレフィル容器用の外装容器及びこれを用いた塗布容器を提供する。【解決手段】レフィル容器用の外装容器１０であって、内側が多角形状の孔１１ｂとなる内向きフランジ１１ａが設けられた本体筒部１１と、内向きフランジ１１ａに軸方向から当接する本体板部１４ａと、孔１１ｂに嵌合する嵌込み部１４ｂと、本体板部１４ａの軸方向両端面から突出する一対の円筒状の筒体１５とを備え、本体筒部１１の軸方向中間位置に固定された回転阻止体１４と、を有し、本体筒部１１の軸方向の両側に、それぞれレフィル容器２０、３０を収容可能であることを特徴とするレフィル容器用の外装容器１０及び外装容器１０と、外装容器１０の軸方向の両側に取換え可能に装着される一対のレフィル容器２０、３０とを有することを特徴とする塗布容器１。【選択図】図１
2018177331.tif 000002
【特許請求の範囲】
【請求項１】
レフィル容器を取換え可能に装着して使用されるレフィル容器用の外装容器であって、
両端が開口する筒状に形成され、軸方向中間位置における内周面に、内側が多角形状の孔となる内向きフランジが一体に設けられた本体筒部と、
円板状に形成されて前記内向きフランジに軸方向から当接する本体板部と、前記多角形状の孔に嵌合する嵌込み部と、それぞれ前記本体板部の軸方向両端面から前記本体筒部と同軸状に突出する一対の円筒状の筒体とを備え、前記本体筒部の内部の軸方向中間位置に固定された回転阻止体と、を有し、
前記本体筒部の前記回転阻止体を挟んだ軸方向の両側に、それぞれ前記レフィル容器を収容可能であることを特徴とするレフィル容器用の外装容器。
【請求項２】
前記回転阻止体は、
円筒状の外筒体と、該外筒体の内側に相対回転自在に収容される円筒状の内筒体と、該内筒体の内側に軸方向に相対移動自在に収容されるとともに内容物を保持する受け皿とを有し、前記内筒体に対して前記外筒体を相対回転させることにより前記受け皿に保持された内容物が繰り出される繰出し容器に構成された前記レフィル容器が前記本体筒部に装着されたときに、前記内筒体の一端を前記本体筒部に対して回り止め及び抜け止め保持するものである、請求項１に記載のレフィル容器用の外装容器。
【請求項３】
前記筒体の先端外周面に、径方向外側に向けて突出するとともに外周面の全周に亘って延びる円環状に形成され、前記内筒体の内周面に設けられた係止突起にアンダーカット係合して該内筒体を前記本体筒部に対して抜け止め保持する抜止め突起が設けられ、
前記筒体の根元側における外周面に、それぞれ軸方向に沿って延びるリブ状に形成されるとともに周方向に等間隔に並べて配置され、前記内筒体の一端側の内周面に設けられたリブ状突起に係合して該内筒体を前記本体筒部に対して回り止めする複数の回止め突起が設けられている、請求項２に記載のレフィル容器用の外装容器。
【請求項４】
前記回転阻止体は、
内容物が充填されている容器本体と、前記容器本体の口部に装着された保持部材と、前記保持部材に回転自在に保持された塗布ボールと、を有するロールオン容器に構成された前記レフィル容器が前記本体筒部に装着されたときに、該レフィル容器と干渉しない形状に形成されている、請求項１〜３の何れか１項に記載のレフィル容器用の外装容器。
【請求項５】
請求項１〜４の何れか１項に記載のレフィル容器用の外装容器と、該外装容器の軸方向の両側に取換え可能に装着される一対の前記レフィル容器とを有することを特徴とする塗布容器。
【発明の詳細な説明】
【技術分野】
【０００１】
本発明は、レフィル容器を取換え可能に装着して使用されるレフィル容器用の外装容器及びこれを用いた塗布容器に関する。
【背景技術】
【０００２】
従来、化粧品や薬品等の内容物を収容する容器として、内容物が充填されているレフィル容器を外装容器に取換え可能に装着した構成のものが知られている。
【０００３】
例えば特許文献１には、内容物が充填されているチューブ状のレフィル容器を外装容器に収容するとともにレフィル容器の口部にポンプを装着し、ポンプを操作することによりレフィル容器に収容されている内容物を吐出させる一方、内容物を使い切った後には、使用済みのレフィル容器を外装容器から取り外して内容物が充填されている新たなレフィル容器に取り換えることができるようにしたレフィル式の容器が記載されている。このようなレフィル式の容器によれば、外装容器を再利用することができるので、そのコストを低減することができる。
【先行技術文献】
【特許文献】
【０００４】
【特許文献１】特開２０１２−１２０５１号公報
【発明の概要】
【発明が解決しようとする課題】
【０００５】
しかし、上記従来のレフィル式の容器では、外装容器は、ポンプを用いて内容物を吐出させるチューブ状のレフィル容器のみを装着可能な専用品として構成されているので、用途が異なる他のレフィル容器を使用したい場合には、そのレフィル容器に対応した他の外装容器を別に用意する必要があり、この点でより使い勝手の良い外装容器が求められていた。
【０００６】
本発明は、このような問題点を解決することを課題とするものであり、その目的は、用途が異なる２種類のレフィル容器を装着可能な使い勝手の良いレフィル容器用の外装容器及びこれを用いた塗布容器を提供することにある。
【課題を解決するための手段】
【０００７】
本発明のレフィル容器用の外装容器は、レフィル容器を取換え可能に装着して使用されるレフィル容器用の外装容器であって、両端が開口する筒状に形成され、軸方向中間位置における内周面に、内側が多角形状の孔となる内向きフランジが一体に設けられた本体筒部と、円板状に形成されて前記内向きフランジに軸方向から当接する本体板部と、前記多角形状の孔に嵌合する嵌込み部と、それぞれ前記本体板部の軸方向両端面から前記本体筒部と同軸状に突出する一対の円筒状の筒体とを備え、前記本体筒部の内部の軸方向中間位置に固定された回転阻止体と、を有し、前記本体筒部の前記回転阻止体を挟んだ軸方向の両側に、それぞれ前記レフィル容器を収容可能であることを特徴とする。
【０００８】
本発明のレフィル容器用の外装容器は、上記構成において、前記回転阻止体は、円筒状の外筒体と、該外筒体の内側に相対回転自在に収容される円筒状の内筒体と、該内筒体の内側に軸方向に相対移動自在に収容されるとともに内容物を保持する受け皿とを有し、前記内筒体に対して前記外筒体を相対回転させることにより前記受け皿に保持された内容物が繰り出される繰出し容器に構成された前記レフィル容器が前記本体筒部に装着されたときに、前記内筒体の一端を前記本体筒部に対して回り止め及び抜け止め保持するものであるのが好ましい。
【０００９】
本発明のレフィル容器用の外装容器は、上記構成において、前記筒体の先端外周面に、径方向外側に向けて突出するとともに外周面の全周に亘って延びる円環状に形成され、前記内筒体の内周面に設けられた係止突起にアンダーカット係合して該内筒体を前記本体筒部に対して抜け止め保持する抜止め突起が設けられ、前記筒体の根元側における外周面に、それぞれ軸方向に沿って延びるリブ状に形成されるとともに周方向に等間隔に並べて配置され、前記内筒体の一端側の内周面に設けられたリブ状突起に係合して該内筒体を前記本体筒部に対して回り止めする複数の回止め突起が設けられているのが好ましい。
【００１０】
本発明のレフィル容器用の外装容器は、上記構成において、前記回転阻止体は、内容物が充填されている容器本体と、前記容器本体の口部に装着された保持部材と、前記保持部材に回転自在に保持された塗布ボールと、を有するロールオン容器に構成された前記レフィル容器が前記本体筒部に装着されたときに、該レフィル容器と干渉しない形状に形成されているのが好ましい。
【００１１】
本発明の塗布容器は、上記何れかの構成のレフィル容器用の外装容器と、該外装容器の軸方向の両側に取換え可能に装着される一対の前記レフィル容器とを有することを特徴とする。
【発明の効果】
【００１２】
本発明によれば、用途が異なる２種類のレフィル容器を装着可能な使い勝手の良いレフィル容器用の外装容器及びこれを用いた塗布容器を提供することができる。
【図面の簡単な説明】
【００１３】
【図１】本発明の一実施の形態である塗布容器の半断面図である。
【図２】図１に示す塗布容器の分解図である。
【図３】本発明の一実施の形態である外装容器の、（ａ）は平面図、（ｂ）は同図（ａ）におけるＡ−Ａ線に沿う断面図である。
【図４】図１に示す繰出しタイプのレフィル容器の半断面図である。
【図５】図１に示すロールオンタイプのレフィル容器の、（ａ）は半断面図、（ｂ）は同図（ａ）におけるＢ−Ｂ線に沿う断面図である。
【図６】図１に示す塗布容器の使用状態を示す側面図である。
【図７】図１に示す塗布容器の変形例の断面図である。
【発明を実施するための形態】
【００１４】
以下、図面を参照して、本発明をより具体的に例示説明する。
【００１５】
図１において、符号１は、本発明の一実施の形態である塗布容器１を示す。この塗布容器１は、レフィル容器用の外装容器１０と、繰出しタイプのレフィル容器２０と、ロールオンタイプのレフィル容器３０と、を有している。図２に示すように、繰出しタイプのレフィル容器２０と、ロールオンタイプのレフィル容器３０は、それぞれ外装容器１０に対して着脱自在となっており、図１に示すように、繰出しタイプのレフィル容器２０は外装容器１０の軸方向の一方側に取換え可能に装着され、ロールオンタイプのレフィル容器３０は外装容器１０の軸方向の他方側に取換え可能に装着されて使用される。このように、レフィル容器２０、３０は、外装容器１０に装着した状態で使用されるとともに、内容物を使い切った使用後には、外装容器１０から取り外されて新たなレフィル容器２０、３０に取り換えられる。
【００１６】
このような構成の塗布容器１ないし外装容器１０によれば、外装容器１０の両端側に、内容物の種類ないし塗布方法が相違する２種類のレフィル容器２０、３０を装着することにより、塗布容器１ないし外装容器１０を２通りの用途に使用可能なものとすることができる。したがって、２種類の塗布容器ないし外装容器を用意することなく、単一の塗布容器１ないし外装容器１０で２種類の内容物の塗布を行うことができるので、塗布容器１ないし外装容器１０の使い勝手を向上させることができる。また、必要に応じて外装容器１０の両端側に、上記レフィル容器２０、３０とは内容物の種類ないし塗布方法が相違する他のレフィル容器を選択的に装着することにより、塗布容器１ないし外装容器１０を多種多様な用途に使用可能なものとすることもできる。
【００１７】
以下では、塗布容器１について、より具体的に説明する。
【００１８】
図３に示すように、外装容器１０は、例えば合成樹脂材料により、軸方向の両端が開口する円筒状に形成された本体筒部１１を有している。本体筒部１１の外周面には、外装容器１０の美観を高めるために、例えば塗装や装飾等を施すことができる。
【００１９】
本体筒部１１の両方の開口端から所定範囲における内周面には、それぞれ八角形状の内面形状を有する回止め受け部１２が一体に設けられている。また、本体筒部１１の、回止め受け部１２よりもさらに奥側の内周面には、当該内周面の全周に亘って延びる環状の抜止め突起１３が一体に設けられている。さらに、本体筒部１１の抜止め突起１３よりもさらに奥側に入った部分における内周面は、開口端側における内周面よりも小径に形成されている。
【００２０】
本体筒部１１の内部の軸方向（長手方向）の中間位置には、回転阻止体１４が固定されている。回転阻止体１４は、例えば合成樹脂材料により円板状に形成された本体板部１４ａを有しており、本体板部１４ａの一方の軸方向端面には外周面が八角形状となる嵌込み部１４ｂが一体に設けられている。本体筒部１１の軸方向中間位置における内周面には、内向きフランジ１１ａが一体に設けられており、内向きフランジ１１ａの内側は八角形状の孔１１ｂとなっている。回転阻止体１４は、本体板部１４ａの一方の軸方向端面が内向きフランジ１１ａに軸方向から当接するとともに嵌込み部１４ｂが内向きフランジ１１ａの内側の八角形状の孔１１ｂに嵌合することで本体筒部１１の内部の軸方向中間位置に回り止めされた状態で固定されている。なお、本実施の形態においては、内向きフランジ１１ａの孔１１ｂ及び嵌込み部１４ｂを八角形状としているが、これに限らず、互いに対応する多角形状であれば他の形状としてもよい。
【００２１】
本体板部１４ａの軸方向の両端面には、当該両端面から本体筒部１１と同軸状に突出する円筒状の筒体１５が一体に設けられている。これら一対の筒体１５は互いに同形状に形成され、本体板部１４ａを挟んで上下に対称に配置されている。これらの筒体１５の先端外周面には、それぞれ径方向外側に向けて突出するとともに外周面の全周に亘って延びる円環状の抜止め突起１５ａが一体に設けられている。また、それぞれの筒体１５の根元側における外周面には、それぞれ径方向外側に向けて突出するとともに軸方向に沿って延びるリブ状に形成されて周方向に等間隔に並べて配置された複数の回止め突起１５ｂが一体に設けられている。
【００２２】
次に、繰出しタイプのレフィル容器２０の構成について説明する。
【００２３】
図４に示すように、繰出しタイプのレフィル容器２０は、例えば口紅やリップクリーム等の、棒状に形成された固定の化粧料ないし薬品を内容物Ｍ１として収容するとともに、当該内容物Ｍ１をレフィル容器２０の内部から塗布可能な位置にまで繰り出すことができるものである。
【００２４】
レフィル容器２０は、それぞれ合成樹脂材料により円筒状に形成された内筒体２１と外筒体２２とを有している。内筒体２１は外筒体２２の内側に収容され、その外周面を外筒体２２の内周面に摺接させた状態で外筒体２２に対して相対回転自在となっている。外筒体２２の外側には金属材料により円筒状に形成された化粧筒２３が被せられ、当該化粧筒２３は外筒体２２と一体回転するように外筒体２２に固定されている。
【００２５】
内筒体２１の下端側内周面には、軸方向に沿って延びる複数のリブ状突起２１ａが周方向に間隔を空けて並べて一体に設けられている。また、内筒体２１の内周面には、リブ状突起２１ａよりも上方側に位置して内周面の全周に亘って延びる円環状の係止突起２１ｂが一体に設けられている。
【００２６】
図１に示すように、レフィル容器２０が外装容器１０の本体筒部１１に装着されると、その基端側の所定範囲が本体筒部１１の内部に収容された状態とされる。そして、レフィル容器２０の内筒体２１に設けられたリブ状突起２１ａが、回転阻止体１４の筒体１５に設けられた回止め突起１５ｂに係合することで、内筒体２１は外装容器１０の本体筒部１１に対して回り止めされる。また、レフィル容器２０が外装容器１０の本体筒部１１に装着されると、係止突起２１ｂが回転阻止体１４の抜止め突起１５ａにアンダーカット係合することで、内筒体２１すなわちレフィル容器２０は外装容器１０の本体筒部１１に抜け止め保持される。このように、レフィル容器２０を外装容器１０の本体筒部１１の一端から挿入し、その基端側部分を本体筒部１１の内部に収容させるように押しこむことで、レフィル容器２０を外装容器１０に装着することができる。
【００２７】
図４に示すように、内筒体２１の軸心を挟んだ対称位置には、それぞれ螺旋溝２１ｃが設けられている（図４では一方のみを示す）。これらの螺旋溝２１ｃは、詳細は図示しないが、それぞれ軸心を中心として当該軸方向の一端側から他方側に向けて螺旋状に延びている。また、外筒体２２の軸心を挟んだ対称位置には、それぞれ軸方向に平行に、その一端側から他方側に向けて真っ直ぐに延びる案内溝２２ａが設けられている（図４では一方のみを示す）。
【００２８】
内筒体２１の内側には、内筒体２１に対して軸方向に相対移動自在に受け皿２４が収容されている。受け皿２４は円筒状の保持壁２４ａと保持壁２４ａの一端に連なる底壁２４ｂとを有し、棒状の内容物Ｍ１を内側に保持している。保持壁２４ａの内周面には内容物Ｍ１を回り止め及び抜け止めするための止めリブ２４ｃが一体に設けられている。
【００２９】
受け皿２４の保持壁２４ａの外周面の軸心を挟んだ対称位置には、それぞれ断面円形のボス２４ｄが一体に設けられている。これらのボス２４ｄは、それぞれ対応する内筒体２１の螺旋溝２１ｃに該螺旋溝２１ｃに沿って移動自在に係合するとともに、外筒体２２の案内溝２２ａに該案内溝２２ａに沿って移動自在に係合している。
【００３０】
上記の通り、レフィル容器２０が外装容器１０の本体筒部１１に装着されると、内筒体２１は外装容器１０の本体筒部１１に対して回り止めされる。したがって、この状態で、外筒体２２の外装容器１０から突出する部分を一方に回転させることにより、外筒体２２を内筒体２１に対して相対回転させ、受け皿２４を内筒体２１に対して上方に向けて軸方向に移動させて内容物Ｍ１を内筒体２１や外筒体２２からの繰り出すことができる。そして、レフィル容器２０の先端から繰り出された内容物Ｍ１を塗布対象物に押し付けて移動させることで当該塗布対象物に内容物Ｍ１を塗布することができる。このように、レフィル容器２０は繰出し容器として構成されている。反対に、外筒体２２を逆方向に回転させることにより、受け皿２４を内筒体２１に対して下方に向けて軸方向に移動させ、内容物Ｍ１を内筒体２１や外筒体２２の内部に格納することができる。
【００３１】
上記の通り、本体筒部１１には回転阻止体１４が設けられ、繰出しタイプのレフィル容器２０が外装容器１０に装着されると、内筒体２１は回転阻止体１４によって外装容器１０に対して回り止めされる。したがって、外装容器１０を把持しつつ外筒体２２を回転操作するだけの簡単な操作で、内容物Ｍ１を繰り出し、あるいは収容することができる。
【００３２】
また、図２に示すように、レフィル容器２０が外装容器１０から取り外された状態では、内筒体２１の全体が外筒体２２の内側に収容され、外筒体２２を内筒体２１に対して相対回転させる操作を行うことは困難である。すなわち、レフィル容器２０が外装容器１０から取り外された状態においては、外筒体２２が内筒体２１に対して相対回転して内容物Ｍ１が誤って繰り出されることが防止される。したがって、レフィル容器２０を外装容器１０に対して着脱する際などに、誤って内容物Ｍ１が繰り出されてしまうことを防止して、その着脱作業を容易にすることができる。
【００３３】
図４に示すように、レフィル容器２０の先端には、封止キャップ２５が装着され、この封止キャップ２５によりレフィル容器２０は未使用状態に密封されている。レフィル容器２０は、使用時には、封止キャップ２５を取り外して開封され、開封された状態で使用される。そして、使用後には外装容器１０から取り外され、新たなレフィル容器２０に取り換えられる。レフィル容器２０を外装容器１０に取換え可能に装着する構成により、外装容器１０の再利用を可能として、この塗布容器１のコストを低減することができる。
【００３４】
次に、ロールオンタイプのレフィル容器３０の構成について説明する。
【００３５】
図５に示すように、ロールオンタイプのレフィル容器３０は容器本体３１を有している。容器本体３１は、合成樹脂材料により有底筒状に形成され、その内部空間Ｓには、例えば化粧料や薬品等の液状の内容物Ｍ２が充填されている。容器本体３１の上端側は円筒状の口部３２となっており、内容物Ｍ２は内部空間Ｓから口部３２を通って容器本体３１の外部に流出することができる。口部３２の外周面には雄ねじ３２ａが一体に設けられている。
【００３６】
容器本体３１の口部３２の下方側にはストッパ部３３が一体に設けられている。ストッパ部３３は口部３２よりも大径の円筒状に形成されており、その下端面は容器本体３１の軸方向に略垂直なストッパ面３３ａとなっている。
【００３７】
容器本体３１のストッパ部３３の下方側には、回止め部３４が一体に設けられている。図５（ｂ）に示すように、回止め部３４は外面が正八角形となる角筒状に形成されている。
【００３８】
図５（ａ）に示すように、容器本体３１の回止め部３４の下方側には有底円筒状の胴部３５が一体に設けられている。胴部３５の上端側には回止め部３４に対して間隔を空けて環状の突起部３５ａが一体に設けられている。
【００３９】
容器本体３１の口部３２には保持部材３６が装着されている。保持部材３６は合成樹脂製となっており、口部３２の開口を覆う隔壁３６ａを有している。隔壁３６ａの軸心には当該隔壁３６ａを貫通する注出孔３６ｂが設けられており、容器本体３１の内部空間Ｓに充填されている内容物Ｍ２は注出孔３６ｂを通って容器本体３１の外部に注出されるようになっている。
【００４０】
隔壁３６ａの上面には環状突起３６ｃが一体に設けられている。環状突起３６ｃは隔壁３６ａの上面から所定の高さで突出し、注出孔３６ｂの周囲を全周に亘って囲っている。また、隔壁３６ａの外周縁には、当該外周縁から上方に向けて突出する保持壁３６ｄが一体に設けられている。保持壁３６ｄは略円筒状に形成され、その内周面は凹形状に湾曲している。
【００４１】
保持壁３６ｄの内側には塗布ボール３７が配置されている。塗布ボール３７は、例えば合成樹脂材料により、保持壁３６ｄの内周面の凹形状に対応した直径の球状に形成されており、保持壁３６ｄにより保持されて当該保持壁３６ｄの内側で回転自在となっている。また、塗布ボール３７は、環状突起３６ｃの上端に全周に亘って当接する位置と当該環状突起３６ｃから離れる位置との間で、保持壁３６ｄの内側において環状突起３６ｃに接近、離反する方向に僅かに移動自在となっている。さらに、塗布ボール３７は、保持壁３６ｄの内側での位置に拘わらず常にその一部が保持壁３６ｄの先端から外部に突出しており、当該突出部分において塗布対象物に接触することができる。
【００４２】
塗布ボール３７が容器本体３１に対して下方側に位置するようにレフィル容器３０を倒立姿勢とすると、塗布ボール３７が環状突起３６ｃから離れ、注出孔３６ｂから注出された内容物Ｍ２が塗布ボール３７と保持壁３６ｄとの隙間３８に供給される。この状態で塗布ボール３７を塗布対象物に沿って移動させて当該塗布対象物上で回転させると、隙間３８内の内容物Ｍ２が塗布ボール３７の表面に付着し、当該付着した内容物Ｍ２が塗布ボール３７の回転により塗布対象物に塗布される。内容物Ｍ２の塗布対象物への塗布量は、塗布ボール３７を塗布対象物に沿って移動させたときに当該塗布ボール３７と保持壁３６ｄの先端部分との間に生じる隙間を適切な大きさとすることで適切な量となるように調整されている。なお、塗布ボール３７を塗布対象物から離間させると、内容物Ｍ２は塗布ボール３７と保持壁３６ｄとの隙間３８に保持され、外部に流出することはない。このように、レフィル容器３０は、塗布ボール３７を塗布具とした所謂ロールオン容器に構成されている。
【００４３】
図１に示すように、レフィル容器３０は、外装容器１０の本体筒部１１の、繰出しタイプのレフィル容器２０が装着されるのとは反対側の端部に装着される。より具体的には、レフィル容器３０は、胴部３５の側から本体筒部１１の一端側の開口から当該本体筒部１１の内部に挿入され、胴部３５が本体筒部１１に収容された状態となって外装容器１０に装着される。レフィル容器３０の本体筒部１１への挿入量ないし挿入位置は、ストッパ部３３のストッパ面３３ａが本体筒部１１の開口端に当接することにより規定される。このとき、レフィル容器３０の底部３５ｂは、回転阻止体１４の筒体１５に干渉することなく、筒体１５に対して軸方向に微小な間隔を空けて配置される。
【００４４】
また、レフィル容器３０が本体筒部１１に挿入されると、レフィル容器３０の胴部３５の外周面に設けられた突起部３５ａが抜止め突起１３にアンダーカット係合して、レフィル容器３０は外装容器１０に対して抜け止め保持される。さらに、レフィル容器３０に設けられた回止め部３４が本体筒部１１に設けられた回止め受け部１２に嵌合して、レフィル容器３０は外装容器１０に対して回り止めされる。
【００４５】
レフィル容器３０の口部３２には、雄ねじ３２ａにねじ結合して封止キャップ３９が装着され、この封止キャップ３９によりレフィル容器３０は未使用状態に密封されている。レフィル容器３０は、使用時には、封止キャップ３９を取り外して開封され、開封された状態で使用される。そして、使用後には外装容器１０から取り外され、新たなレフィル容器３０に取り換えられる。レフィル容器３０を外装容器１０に取換え可能に装着する構成により、外装容器１０の再利用を可能として、この塗布容器１のコストを低減することができる。
【００４６】
上記構成の塗布容器１は、図６に示すように、繰出しタイプのレフィル容器２０から封止キャップ２５を取り外し、外装容器１０を保持しつつ外筒体２２の外装容器１０から突出した部分を回転操作することにより内容物Ｍ１を所定量だけ外装容器１０から外部に繰り出し、内容物Ｍ１を直接塗布対象物に接触させることで内容物Ｍ１を塗布対象物に塗布することができる。また、塗布容器１は、ロールオンタイプのレフィル容器３０から封止キャップ３９を取り外し、塗布ボール３７が外装容器１０に対して下方側となる姿勢で外装容器１０を把持し、この状態で塗布ボール３７を塗布対象物に押し当てつつ当該塗布対象物に沿って移動させて回転させることで内容物Ｍ２を塗布対象物に塗布することができる。
【００４７】
このような構成の塗布容器１及び外装容器１０によれば、外装容器１０に用途が異なる２種類のレフィル容器２０、３０を装着することができるので、これらの塗布容器１ないし外装容器１０を、１つの塗布容器１で２種類の用途への使用を可能とする使い勝手の良いものとすることができる。また、必要に応じて外装容器１０の両端側に、上記レフィル容器２０、３０とは内容物の種類ないし塗布方法が相違する他のレフィル容器を選択的に装着することにより、塗布容器１を多種多様な用途に使用することが可能なものとすることもできる。
【００４８】
さらに、外装容器１０の本体筒部１１を、回転阻止体１４を備えた構成としたので、繰出しタイプのレフィル容器２０を、外装容器１０に装着されない状態では内容物Ｍ１の繰出し操作を困難としつつ、外装容器１０に装着されたときには内筒体２１を回転阻止体１４によって外装容器１０に対して回り止めして内容物Ｍ１の繰出し操作を可能とすることができる。
【００４９】
一方、ロールオンタイプのレフィル容器３０などの他のレフィル容器については、外装容器１０に装着したときに回転阻止体１４に干渉しない大きさないし形状に設計することで、外装容器１０に装着することが可能である。このように、外装容器１０の本体筒部１１に回転阻止体１４を設けた構成としても、種々のレフィル容器を外装容器１０に装着可能として、塗布容器１を多種多様な用途に使用可能なものとすることができる。
【００５０】
図７は図１に示す塗布容器１の変形例の断面図である。なお、図７においては前述した部材に対応する部材に同一の符号を付してある。
【００５１】
図１〜図６に示す実施の形態においては、塗布容器１ないし外装容器１０は、外装容器１０の一端側に繰出しタイプのレフィル容器２０を装着し、他端側にロールオンタイプのレフィル容器３０を装着する構成とされているが、これに限らず、例えば、図７の左半分に示すように、外装容器１０の両端側にそれぞれ繰出しタイプのレフィル容器２０を装着した構成とすることができる。この場合、それぞれのレフィル容器２０の内容物Ｍ１を互いに異なる種類のものとすることで、１つの塗布容器１により２種類の内容物Ｍ１を塗布可能な構成とすることができる。
【００５２】
また、図７の右半分に示すように、外装容器１０の両端側にそれぞれロールオンタイプのレフィル容器３０を装着した構成とすることもできる。この場合においても、それぞれのレフィル容器３０に充填される内容物Ｍ２を互いに異なる種類のものとすることで、１つの塗布容器１により２種類の内容物Ｍ２を塗布可能な構成とすることができる。
【００５３】
必要に応じて外装容器１０の両端に装着するレフィル容器２０、３０を変更することで、外装容器１０を３通り以上の用途に使用可能な構成とすることもできる。
【００５４】
本発明は前記実施の形態に限定されるものではなく、その要旨を逸脱しない範囲で種々変更可能であることはいうまでもない。
【００５５】
例えば、レフィル容器２０の封止キャップ２５及びレフィル容器３０の封止キャップ３９は、それぞれ図示する形状ないし構成に限らず、種々の形状ないし構成のものを用いることができる。
【符号の説明】
【００５６】
１    塗布容器
１０    外装容器
１１    本体筒部
１１ａ  内向きフランジ
１１ｂ  孔
１２    回止め受け部
１３    抜止め突起
１４    回転阻止体
１４ａ  本体板部
１４ｂ  嵌込み部
１５    筒体
１５ａ  抜止め突起
１５ｂ  回止め突起
２０    レフィル容器
２１    内筒体
２１ａ  リブ状突起
２１ｂ  係止突起
２１ｃ  螺旋溝
２２    外筒体
２２ａ  案内溝
２３    化粧筒
２４    受け皿
２４ａ  保持壁
２４ｂ  底壁
２４ｃ  止めリブ
２４ｄ  ボス
２５    封止キャップ
３０    レフィル容器
３１    容器本体
３２    口部
３２ａ  雄ねじ
３３    ストッパ部
３３ａ  ストッパ面
３４    回止め部
３５    胴部
３５ａ  突起部
３５ｂ  底部
３６    保持部材
３６ａ  隔壁
３６ｂ  注出孔
３６ｃ  環状突起
３６ｄ  保持壁
３７    塗布ボール
３８    隙間
３９    封止キャップ
Ｍ１    内容物
Ｓ    内部空間
Ｍ２    内容物
【図１】
2018177331.tif 000003
【図２】
2018177331.tif 000004
【図３】
2018177331.tif 000005
【図４】
2018177331.tif 000006
【図５】
2018177331.tif 000007
【図６】
2018177331.tif 000008
【図７】
2018177331.tif 000009